Podtech/llm-jp-corpus-v4-ja_patent huggingface dataset:
【誤訳訂正書】
【提出日】平成19年10月22日(2007.10.22)
【誤訳訂正１】
【訂正対象書類名】明細書
【訂正対象項目名】０００２
【訂正方法】変更
【訂正の内容】
【０００２】
炭水化物（および炭水化物誘導体）の第一アルコール基の酸化はアルデヒド（Ｒ’−ＣＨＯ）および／またはカルボキシル（Ｒ’−ＣＯＯＨ）基の形成をもたらす。  
【誤訳訂正２】
【訂正対象書類名】明細書
【訂正対象項目名】００１０
【訂正方法】変更
【訂正の内容】
【００１０】
有利な一つの実施態様においては、少なくとも１０％の第一アルコール基が酸化される。更に好ましくは酸化される第一アルコール基の少なくとも５０％がカルボキシル基にまで酸化される。
【誤訳訂正３】
【訂正対象書類名】明細書
【訂正対象項目名】００２２
【訂正方法】変更
【訂正の内容】
【００２２】
ニトロキシ基媒介物：
その形状に係わりなく、初期反応媒体はニトロキシ基媒介物と第一アルコール基とを１：４〜１：１５０、好ましくは約１：４０〜１：７０のモル比で含有しているのが有利である。ニトロキシ基媒介物は、例としてであるが、ジ第三ニトロキシル化合物、例えば２，２，６，６−テトラメチルピペリジン−Ｎ−オキシル（ＴＥＭＰＯ）、α−水素原子が欠けている有機系ニトロキシル化合物、例えば２，２，５，５−テトラメチルピロリジン−Ｎ−オキシル（ＰＲＯＸＹＬ）、４−ヒドロキシ、４−メトキシ、４−アルコキシル、４−アセトキシ、４−ホスホノオキシまたは４−ベンゾイルオキシ−ＴＥＭＰＯ、それのアシル化誘導体、例えば４−アセトアミド−および４−マレイミド−ＴＥＭＰＯまたはデヒドロ−ＴＥＭＰＯ（１，２，３，６−テトラヒドロ−２，２，６，６−テトラメチルピリジン−１−オキシル）でもよい。ニトロキシ基媒介物は好ましくはＴＥＭＰＯまたは４−メトキシＴＥＭＰＯである。
【誤訳訂正４】
【訂正対象書類名】明細書
【訂正対象項目名】００２７
【訂正方法】変更
【訂正の内容】
【００２７】
ｐＨ制御:
ペルオキシダーゼ酵素を用いることは電子受容体の存在を必要とする。本発明の方法で使用される電子受容体はヒドロペルオキシドでもよい。 ヒドロペルオキシドは好ましくは過酸化水素またはそれの出所、例えば過酸化水素前駆体、例えば過硼酸塩または過炭酸塩；過酸化水素発生酵素；ペルオキシカルボン酸またはそれの塩である。１モルの第一アルコール当たり、０．５〜４ミリモル／分のヒドロペルオキシドを反応媒体に添加する。この添加はゆっくり行うべきでありそして反応媒体のｐＨが３．５〜１０．０の間に維持されるように制御するべきである。
【誤訳訂正５】
【訂正対象書類名】明細書
【訂正対象項目名】００３１
【訂正方法】変更
【訂正の内容】
【００３１】
上述の反応条件のもとでは、驚くべきことに、高い炭水化物（および／または炭水化物誘導体）濃度（固形分含有量）が初期反応媒体中に含まれていてもよいことを見出した。初期反応媒体中に存在する第一アルコール基の１０％以上、好ましくは少なくとも２０％、更に好ましくは少なくとも３０％、より好ましくは少なくとも４０％、特に好ましくは少なくとも５０％、なかでも少なくとも６０％、殊に少なくとも７０％、特に少なくとも８０％、更になかでも少なくとも９０％が酸化されることを見出した。有利な一つの実施態様によれば、酸化される第一アルコール基はカルボキシル基にまで酸化される。特に有利な一つの実施態様によれば、酸化される第一アルコール基の少なくとも５０％がカルボキシル基に酸化される。理想的には、酸化される第一アルコール基の少なくとも９０％がカルボキシル基に酸化される。
【誤訳訂正６】
【訂正対象書類名】明細書
【訂正対象項目名】００５４
【訂正方法】変更
【訂正の内容】
【００５４】
カルボキシル基およびアルデヒド測定：
ＮａＯＨ消費量の他に、標準Blumenkrantz法（特定ウロン酸定量化法）およびＨＰＬＣ法を酸化のレベルを測定するために使用する。ＨＰＬＣは２５℃、１ｍＬ／分で０．０１モルのＨ２ＳＯ２の入った２つの連続したShodex KC-811 (H+ 型)カラムで行う。
【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
（ｉ）配列番号２、配列番号４〜配列番号６、配列番号８〜配列番号２２から成るグループから選択されたアミノ酸配列、
（ｉｉ）（ｉ）のアミノ酸配列に少なくとも６０％相同のアミノ酸配列、
（ｉｉｉ）（ｉ）のアミノ酸配列に少なくとも８０％一致のアミノ酸配列、または、
（ｉｖ）配列番号２にコードされているポリペプチドの生物活性を有する（ｉ）〜（ｉｉｉ）のいずれかのフラグメント、
からなる単離ポリペプチド。
【請求項２】
（ｉ）請求項１に記載のポリペプチドをコードしているヌクレオチド配列、
（ｉｉ）配列番号１に示すヌクレオチド配列、
（ｉｉｉ）（ｉ）または（ｉｉ）に定義した配列の縮重形に対応するヌクレオチド配列、
（ｉｖ）（ｉ）〜（ｉｉｉ）の配列に選択的にハイブリダイズすることが可能なヌクレオチド配列、
（ｖ）配列番号（ｉ）〜（ｉｖ）のいずれかに相補的なヌクレオチド配列、
（ｖｉ）プライマーまたはプローブとして使用するのに好適な（ｖ）の配列のフラグメント、
からなる単離ポリヌクレオチド。
【請求項３】
（ｉ）プロモーターに作動可能に連結された請求項２の（ｉ）〜（ｉｖ）に記載のポリヌクレオチドを含む細胞をポリペプチド発現条件下で培養する段階と、
（ｉｉ）発現したポリペプチドを回収する段階と、
を含む請求項１に記載のポリペプチドを製造する方法。
【請求項４】
クロマトグラフィーを使用してポリペプチドを回収する請求項３に記載の方法。
【請求項５】
クロマトグラフィーがＮｉ−キレート化カラム及び／またはゲル濾過の使用を含む請求項４に記載の方法。
【請求項６】
請求項２に記載のヌクレオチド配列を含むベクター。
【請求項７】
請求項６に記載のベクターで形質転換またはトランスフェクトされた宿主細胞。
【請求項８】
請求項１に記載のアミノ酸配列に特異的な抗体。
【請求項９】
更に、検出可能なラベルを含む請求項８に記載の抗体。
【請求項１０】
（ｉ）請求項１に記載のポリペプチドをキャリアータンパク質にコンジュゲートする段階と、
（ｉｉ）（ｉ）のコンジュゲートとアジユバントとを動物に投与する段階と、
（ｉｉｉ）生じた抗体を動物から単離する段階と、
を含む抗体を製造する方法。
【請求項１１】
（ｉ）適当なハイブリダイズ条件下でサンプルを請求項２の（ｖｉ）に記載のポリヌクレオチドに接触させる段階と、
（ｉｉ）前記ポリヌクレオチドとサンプル中のヌクレオチド配列との間に形成された任意の二重鎖を検出する段階と、
を含む、サンプルをＢ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関してスクリーニングする方法。
【請求項１２】
ポリヌクレオチドが配列番号２４及び配列番号２７〜３７から成るグループから選択される請求項１１に記載の方法。
【請求項１３】
（ｉ）反応複合体が形成され得る条件下でサンプルを請求項８に記載の抗体に接触させる段階と、
（ｉｉ）反応複合体を検出する段階と、
を含む、サンプルを請求項１に記載のポリペプチドに関してスクリーニングする方法。
【請求項１４】
（ｉ）反応複合体が形成され得る条件下でサンプルを請求項１に記載のポリペプチドに接触させる段階と、
（ｉｉ）反応複合体を検出する段階と、
を含む、サンプルを請求項８に記載の抗体に関してスクリーニングする方法。
【請求項１５】
（ｉ）請求項２の（ｖｉ）に記載のポリヌクレオチドと、
（ｉｉ）前記ポリヌクレオチドとサンプル中のヌクレオチド配列との間に形成された任意の二重鎖を検出する手段と、
を含む、サンプルをＢ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関してスクリーニングするためのキット。
【請求項１６】
（ｉ）請求項８に記載の抗体と、
（ｉｉ）抗体を含む反応複合体を検出する手段と、
を含む、サンプルを請求項１に記載のポリペプチドに関してスクリーニングするためのキット。
【請求項１７】
（ｉ）請求項１に記載のポリペプチドと、
（ｉｉ）前記ポリペプチドを含む反応複合体の検出手段と、
を含む、サンプルを請求項８に記載の抗体に関してスクリーニングするためのキット。
【請求項１８】
（ｉ）請求項２の（ｉ）〜（ｉｖ）に記載のポリヌクレオチド配列を該ポリヌクレオチドにコードされるポリペプチドの発現を生じるのに適合された形態で含む組成物、
（ｉｉ）請求項１に記載のポリペプチド、または、
（ｉｉｉ）アジュバントを伴う（ｉ）または（ｉｉ）、
から成るグループから選択された組成物の有効量を動物に投与する段階を含む、動物におけるＢ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関連する疾患を治療する方法。
【請求項１９】
請求項２の（ｖ）に記載のポリヌクレオチドを含む組成物の有効量を動物に投与する段階を含む、動物におけるＢ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関連する疾患を治療する方法。
【請求項２０】
疾患が腸スピロヘーター感染症である請求項１８または１９に記載の治療方法。
【請求項２１】
（ｉ）請求項２の（ｉ）〜（ｉｖ）に記載のポリヌクレオチド配列を該ポリヌクレオチドにコードされるポリペプチドの発現を生じるのに適合された形態で含む組成物、
（ｉｉ）請求項１に記載のポリペプチド、または、
（ｉｉｉ）アジュバントを伴う（ｉ）または（ｉｉ）、
から成るグループから選択された組成物を免疫原性有効量で投与する段階を含む、Ｂ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関連する疾患に対して動物を免疫する方法。
【請求項２２】
疾患が腸スピロヘーター感染症である請求項２１に記載の方法。
【請求項２３】
動物が、ブタ、ニワトリ、イヌ、ウマ、ウシ、ヒツジ、魚及びヒトから成るグループから選択される請求項１８〜２２のいずれか一項に記載の方法。
【請求項２４】
担体と、（ｉ）請求項１に記載のポリペプチド、（ｉｉ）請求項２に記載のポリヌクレオチド、または（ｉｉｉ）請求項８に記載の抗体とを含む組成物。
【請求項２５】
Ｂｐｍｐ−７２をコードしているポリヌクレオチド配列の一部分に相補的な少なくとも１つのポリヌクレオチドと、適当な容器と、その使用説明書とを含むスクリーニングキット。
【請求項２６】
Ｂ．ｈｙｏｄｙｓｅｎｔｅｒｉａｅ、Ｂ．ｉｎｔｅｒｍｅｄｉａ、Ｂ．ａｌｖｉｎｉｐｕｌｌｉ、Ｂ．ａａｌｂｏｒｇｉ及びＢ．ｐｉｌｏｓｉｃｏｌｉを非限定例とするＢｒａｃｈｙｓｐｉｒａ種に関連する疾患を治療または予防する医薬を製造するための、請求項２に記載のポリヌクレオチドまたは請求項１に記載のポリペプチドの使用。
【手続補正書】
【提出日】平成19年10月16日(2007.10.16)
【手続補正１】
【補正対象書類名】明細書
【補正対象項目名】００４１
【補正方法】変更
【補正の内容】
【００４１】
架橋化後、Ｂｅｃｋｍａｎ  Ｊ２−２１  ＭＥの遠心分離機にＪＡ２０．１ロータを取り付けたものを用いて、エマルジョンを１００００ｒｐｍで５分間遠心分離し、その後、油相を除去した。１００ｍＭのＴｒｉｓ−Ｃｌ緩衝液（ｐＨ８．０）１０ｍｌで、ペレットを３回洗浄した。そして上述のような遠心分離によりペレットを回収した。洗浄後、ペレットを緩衝液１ｍｌ中に再懸濁し、酵素の活性度を調べた。図３は、得られた酵素球体を示す。球体の粒度分布は、約１０〜１００μｍと小範囲であった（図４）。
【手続補正２】
【補正対象書類名】明細書
【補正対象項目名】００５８
【補正方法】変更
【補正の内容】
【００５８】
ＣＬＥＡ’ｓと比較した球体の活性度保持率は、基質としてｐ−ニトロフェニルパルミタートを用いた場合、リパーゼ球体に関しては２．７％、ＣＬＥＡ’ｓに関しては３．４％と測定された。また、基質としてｐ−ニトロフェニルブチラートを用いた場合の活性度は、リパーゼ球体に関しては５３．７％、ＣＬＥＡ’ｓに関しては６．５％と測定された。
【手続補正書】
【提出日】平成19年12月6日(2007.12.6)
【手続補正１】
【補正対象書類名】特許請求の範囲
【補正対象項目名】全文
【補正方法】変更
【補正の内容】
【特許請求の範囲】
【請求項１】
膨張可能および拡大可能な手段を有する、人間または動物の身体または体腔に挿入するための抗菌装置であって、膨張可能および拡大可能な手段が、低分子抗菌化合物（ＬＭＡＣｓ）には透過性であるが、水には不透過性である弾性膜からなり、そして隣接組織または体腔に浸透することのできる少なくとも１つのＬＭＡＣを放出することのできる少なくとも１つの第１成分を含み、そしてその少なくとも１つの第１成分が酸性化に応じて該ＬＭＡＣを放出することを特徴とする上記装置。
【請求項２】
少なくとも１つの第１成分が第２成分と接触したときにＬＭＡＣが放出される、請求項１に記載の装置。
【請求項３】
少なくとも１つの第１成分が亜硝酸塩である、請求項２に記載の装置。
【請求項４】
第２成分がアスコルビン酸である、請求項２に記載の装置。
【請求項５】
少なくとも１つの第１成分が亜硝酸塩であり、第２成分がアスコルビン酸である、請求項２に記載の装置。
【請求項６】
第１成分および第２成分が接触した後の装置内のｐＨが２〜４である、請求項２に記載の装置。
【請求項７】
接触が、水、生理食塩水または任意の生理的緩衝液からなるグループから選んだ液体を前記手段に導入することで行われる、請求項２に記載の装置。
【請求項８】
装置が人間または動物の尿路へ挿入するカテーテルであり、膨張可能および拡大可能な手段が膨張性カフを含む、請求項１に記載の装置。
【請求項９】
装置が気管内チューブである、請求項１に記載の装置。
【請求項１０】
装置が胃チューブである、請求項１に記載の装置。
【請求項１１】
ＬＭＡＣが活性窒素中間体、活性酸素中間体またはこれらの２つの組み合わせである、請求項１に記載の装置。
【請求項１２】
ＬＭＡＣが、酸化窒素（ＮＯ）、ＮＯ2、Ｎ2Ｏ3-、Ｎ2Ｏ4、ＨＮＯ3、ＨＮＯ2、ＮＯ+
、ＮＯ-、Ｏ2-、Ｏ3、一重項酸素、Ｈ2Ｏ2、ＯＯＮＯ-、ＨＯＯＮＯ、ＮＯＣｌ、ＮＯＳ
ＣＮ、ＮＯチオシアン酸塩、ＯＨラジカルおよびＨＯＣｌからなる群から選んだものである、請求項１に記載の装置。
【請求項１３】
ＬＭＡＣが体温で気体状である、請求項１に記載の装置。
【請求項１４】
膨張可能および拡大可能な手段の内容物または前記装置の材料もしくは表面に或る濃度の１つまたはそれ以上の金属イオンを有し、該濃度が抗菌効果を向上させるに充分である、請求項１〜１３のいずれか１項に記載の装置。
【請求項１５】
人間または動物の身体および／または体腔内に膨張性カフを有する侵襲性医療装置を挿入および／または使用することで発生する院内感染の予防および／または治療で使用するキットであり、該装置と、カフをふくらますのに適した注射器とを含み、注射器が、投与後に装置の膨張性カフ内へ、隣接組織および体腔に浸透することのできる少なくとも１つの低分子抗菌化合物（ＬＭＡＣ）を放出することのできる少なくとも１つの第１成分を含む上記キット。
【請求項１６】
装置が尿カテーテルである、請求項１５に記載のキット。
【請求項１７】
装置が気管内チューブである、請求項１５に記載のキット。
【請求項１８】
必要な成分が、水、生理食塩水または任意の生理的緩衝液のような液体との組み合わせでＬＭＡＣを放出する粉末として存在する、請求項１５に記載のキット。
【請求項１９】
必要な成分が、投与前に混合するか、または、カフの膨張と同時に混合する別々の溶液として存在する、請求項１５に記載のキット。
【請求項２０】
必要な成分が、亜硝酸塩および酸である、請求項１５に記載のキット。
【請求項２１】
必要な成分が、亜硝酸ナトリウムおよびアスコルビン酸である、請求項１５に記載のキット。
【請求項２２】
尿カテーテルに接続した収集装置内での微生物増殖を阻止するための方法であって、低分子抗菌化合物（ＬＭＡＣ）を放出する少なくとも１つの成分を該収集装置に添加することを特徴とする上記方法。
【請求項２３】
少なくとも１つの成分が、酸性化に応じてＬＭＡＣを収集装置内に放出する亜硝酸塩である、請求項２２に記載の方法。
【請求項２４】
装置内のｐＨを２〜４まで減らす酸性化剤を加えることで酸性化を行う、請求項２２に記載の方法。
【請求項２５】
酸性化をアスコルビン酸の添加により行う、請求項２２に記載の方法。
【手続補正書】
【提出日】平成20年1月21日(2008.1.21)
【手続補正１】
【補正対象書類名】特許請求の範囲
【補正対象項目名】全文
【補正方法】変更
【補正の内容】
【特許請求の範囲】
【請求項１】
患者の瘻孔を処置するための薬剤の製造過程で、非細胞性にされた生物組織の移植片の使用であって、該移植片が皮膚コラーゲンを含み、プラグとして形作られている、使用。
【請求項２】
該移植片が、該皮膚コラーゲンを含有する単一の無細胞性シート状材料から成る、請求項１に記載の使用。
【請求項３】
該プラグが、先細のプラグ本体を有している、請求項１もしくは２のいずれか1項に記載の使用。
【請求項４】
該プラグが、該瘻孔の第１及び第２の端部を超えて伸長するのに十分な長さを有している、請求項１乃至３のいずれか１項に記載の使用。
【請求項５】
該生体組織の移植片は、異種移植片又は同種移植片である、請求項１乃至４のいずれか１項に記載の使用。
【請求項６】
該移植片は、死体同種移植片を含む、請求項１乃至５のいずれか１項に記載の使用。
【請求項７】
該移植片が薬物を含有している、請求項１乃至６のいずれか１項に記載の使用。
【請求項８】
該移植片が抗生物質製剤を含有している、請求項１乃至７のいずれか１項に記載の使用。
【請求項９】
該移植片が血管由来である、請求項１乃至８のいずれか１項に記載の使用。
【請求項１０】
該瘻孔は、肛門直腸瘻を含む、請求項１乃至９のいずれか１項に記載の使用。
【請求項１１】
該移植片が、生体再形成可能な材料から成っている、請求項１乃至１０のいずれか１項に記載の使用。
【請求項１２】
該プラグが、該瘻孔に引き込まれて該瘻孔の一次開口に詰め込まれるような寸法で構成された、請求項１乃至１１のいずれか１項に記載の使用。
【請求項１３】
該プラグが、接着剤と共に使用するのに適合した、請求項１乃至１２のいずれか１項に記載の使用。
【請求項１４】
該プラグが、一次開口を閉塞するように該瘻孔の中に受け入れられる寸法で構成された、請求項１に記載の使用。
【請求項１５】
病人の瘻孔を閉塞するための埋め込み型の移植片であって、一次開口を閉塞するように該瘻孔の中に受け入れられる寸法で構成されたプラグから成り、該プラグが皮膚コラーゲンを含んでいる、埋め込み型の移植片。
【請求項１６】
該移植片は、概して円錐体の形をしている、請求項１５に記載の埋め込み型の移植片。
【請求項１７】
該移植片は、それが獲得された元の起源組織を原産とする増殖因子を保有する、請求項１５もしくは１６のいずれか１項に記載の埋め込み型の移植片。
【請求項１８】
該増殖因子が、線維芽細胞増殖因子―２、形質転換増殖因子−β、表皮増殖因子、及び、血小板由来増殖因子のうちの１つ又はそれ以上を含む、請求項１５乃至１７のいずれか１項に記載の埋め込み型の移植片。
【請求項１９】
該移植片が、抗生物質製剤を含む、請求項１５乃至１８のいずれか１項に記載の埋め込み型の移植片。
【請求項２０】
該移植片が、血管由来である、請求項１５乃至１９のいずれか１項に記載の埋め込み型の移植片。
【請求項２１】
該移植片が、死体ドナーからの無細胞性皮膚組織を含む、請求項１５乃至２０のいずれか１項に記載の埋め込み型の移植片。
【請求項２２】
該移植片が、該瘻孔の少なくとも１つの端部から突き出るのに十分な長さを有している、請求項１５乃至２１のいずれか１項に記載の埋め込み型の移植片。
【請求項２３】
該移植片が、該瘻孔の両端部から突き出るのに十分な長さを有している、請求項１５乃至２１のいずれかに記載の埋め込み型の移植片。
【請求項２４】
該移植片が、該皮膚コラーゲンを含有する単一の無細胞性シート状の材料を含む、請求項１５に記載の埋め込み型の移植片。
【請求項２５】
該瘻孔が、肛門直腸瘻である、請求項１５に記載の埋め込み型の移植片。
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
眼内に移植する、遠近調整ができる眼内レンズであって、
該レンズは、初期厚さを有する光学体と、該光学体と一体となった光学体位置決め要素とを含み、
該光学体に作用する力の変化に対応し、該光学体の初期厚さを変化させることができることを特徴とする眼内レンズ。
【請求項２】
上記光学体位置決め要素が、可塑性を有する合成樹脂材料により形成されていることを特徴とする請求項１に記載のレンズ。
【請求項３】
上記光学体位置決め要素が、シリコーン、ポリメチルメタクリレート、およびこれらの混合物よりなる群から選ばれた合成物を含む材料により形成されていることを特徴とする請求項２に記載のレンズ。
【請求項４】
上記光学体位置決め要素が、後面と、前面と、湾曲部とを含み、
該前面と、該後面と、該湾曲部とが、協働して該光学体位置決め要素内に房を形成していることを特徴とする請求項１に記載のレンズ。
【請求項５】
上記光学体位置決め要素の前面または後面が、該前面または該後面を貫く開口部を含み、該開口部が上記房と連通していることを特徴とする請求項４に記載のレンズ。
【請求項６】
上記光学体位置決め要素が、円盤状の本体を含み、上記光学体が、該本体の略中央に位置することを特徴とする請求項１に記載のレンズ。
【請求項７】
上記円盤状の本体が、半径方向に延在する少なくとも２つのフランジを含むことを特徴とする請求項６に記載のレンズ。
【請求項８】
上記フランジが、個々の膜により互いに結ばれていることを特徴とする請求項７に記載のレンズ。
【請求項９】
上記フランジが個々の厚さを有し、かつ、上記膜が個々の厚さを有し、
該フランジのそれぞれの厚さが、該膜のそれぞれの厚さより大きいことを特徴とする請求項８に記載のレンズ。
【請求項１０】
上記円盤状の本体が、水平面を有し、上記光学体が、該水平面に沿って配置されていることを特徴とする請求項６に記載のレンズ。
【請求項１１】
上記円盤状の本体が、水平面を有し、上記光学体が、該水平面の外側に配置されていることを特徴とする請求項６に記載のレンズ。
【請求項１２】
上記光学体の初期厚さが、毛様体の収縮に対応して増加できることを特徴とする請求項１に記載のレンズ。
【請求項１３】
上記光学体の初期厚さが、毛様体の収縮に対応して第２の厚さまで増加でき、該第２の厚さが少なくとも該初期厚さの約１．１倍より大きいことを特徴する請求項１２に記載のレンズ。
【請求項１４】
上記光学体が、少なくとも約１．３６の屈折率を有する材料により形成されていることを特徴とする請求項１２のレンズ。
【請求項１５】
上記光学体が、両凸面、メニスカスおよび平凸面よりなる群から選択される断面形状を有することを特徴とする請求項１４に記載のレンズ。
【請求項１６】
上記光学体の初期厚さが、毛様体の収縮に対応して減少できることを特徴とする請求項１に記載のレンズ。
【請求項１７】
上記光学体の初期厚さが、毛様体の収縮に対応して第２の厚さまで減少でき、該初期厚さが、該第２の厚さの少なくとも約１．２倍よりも大きいことを特徴とする請求項１６に記載のレンズ。
【請求項１８】
上記光学体が、ガスが充填された房を含むことを特徴とする請求項１に記載のレンズ。
【請求項１９】
上記光学体が、屈折率が約１．２未満の材料により形成されていることを特徴とする請求項１６に記載のレンズ。
【請求項２０】
上記光学体が、メニスカス、両凹面および平凹面よりなる群から選択される断面形状を有することを特徴とする請求項１９に記載のレンズ。
【請求項２１】
眼内に移植する、遠近調整ができる眼内レンズであって、該レンズは、
互いに直接隣接した１対の光学体と、
該光学体のうちの少なくとも１つと一体となった光学体位置決め要素と、を含むことを特徴とするレンズ。
【請求項２２】
上記光学体のうち一方が、屈折性の、固体、液体およびゲルよりなる群から選択される材料により形成され、該光学体のうち他方が、ガスが充填された房を含むことを特徴とする請求項２１に記載のレンズ。
【請求項２３】
上記光学体のうち一方が、少なくとも約１．３６の屈折率を有し、該光学体のうち他方が、約１．２未満の屈折率を有することを特徴とする請求項２１に記載のレンズ。
【請求項２４】
上記光学体の両方が、屈折性の、固体、液体およびゲルよりなる群から選択される材料により形成されていることを特徴とする請求項２１に記載のレンズ。
【請求項２５】
上記光学体の両方が、少なくとも約１．３６の屈折率を有することを特徴とする請求項２１に記載のレンズ。
【請求項２６】
上記光学体位置決め要素が、可塑性を有する合成樹脂材料により形成されていることを特徴とする請求項２１に記載のレンズ。
【請求項２７】
上記光学体位置決め要素が、シリコーン、ポリメチルメタクリレート、およびそれらの混合物よりなる群から選択される合成物を含むことを特徴とする請求項２６に記載のレンズ。
【請求項２８】
上記光学体位置決め要素が、後面と、前面と、湾曲部とを含み、該前面と、該後面と、該湾曲部とが、協働して該光学体位置決め要素内に房を形成していることを特徴とする請求項２１に記載のレンズ。
【請求項２９】
上記光学体位置決め要素の後面または前面が、該前面または後面を貫く開口部を含み、該開口部が上記房と連通していることを特徴とする請求項２８に記載のレンズ。
【請求項３０】
上記光学体位置決め要素が、円盤状の本体を含み、上記光学体が、該本体の略中央に配置されていることを特徴とする請求項２１に記載のレンズ。
【請求項３１】
上記円盤状の本体が、半径方向に延在する少なくとも２つのフランジを有することを特徴とする請求項３０に記載のレンズ。
【請求項３２】
上記フランジが、個々の膜により互いに結ばれていることを特徴とする請求項３１に記載のレンズ。
【請求項３３】
上記フランジが、個々の厚さを有し、かつ、上記膜が、個々の厚さを有し、それぞれのフランジの厚さが、それぞれの膜の厚さより厚いことを特徴とする請求項３２に記載のレンズ。
【請求項３４】
上記円盤状の本体が、水平面を有し、かつ、上記光学体が、該水平面に沿って配置されていることを特徴とする請求項３０に記載のレンズ。
【請求項３５】
上記円盤状の本体が、水平面を有し、かつ、上記光学体が、該水平面の外側に配置されていることを特徴とする請求項３０に記載のレンズ。
【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
患者の心臓の健康状態をモニタリングするための方法であって、該方法は、
第１の時点で該患者から得られた体液のサンプル中の、ナトリウム利尿ペプチドの値を決定する工程、
該ナトリウム利尿ペプチドについての測定値をメモリデバイスに記憶させる工程、
将来の第２の時点で該患者から収集された体液のサンプル中の、ナトリウム利尿ペプチドのレベルを決定する工程、
該第２の時点で収集されたサンプル中のナトリウム利尿ペプチドのレベルと、該メモリデバイスに保存された値とのレベルとの差を決定する工程、および
該第２の時点でのナトリウム利尿ペプチドのレベルと、該第１の時点でのナトリウム利尿ペプチドのレベルとの差に従って、該患者または医療提供者に、特定の活動を行うことを指示する工程、
を包含する、方法。
【請求項２】
前記ナトリウム利尿ペプチドについて、上限閾値および下限閾値を決定する工程をさらに包含する、請求項１に記載の方法。
【請求項３】
サンプル中の前記ナトリウム利尿ペプチドのレベルの差を、前記上限閾値および下限閾値と比較する工程をさらに包含する、請求項２に記載の方法。
【請求項４】
前記ナトリウム利尿ペプチドのレベルの差が前記上限閾値または下限閾値を超える場合、前記患者から収集された流体サンプル中の第２のマーカーのレベルを決定するように、該患者または医療提供者に指示する工程をさらに包含する、請求項３に記載の方法。
【請求項５】
前記第２のマーカーが、腎機能のマーカー、電解質平衡のマーカー、およびナトリウム貯留のマーカーである、請求項４に記載の方法。
【請求項６】
前記第２のマーカーについての閾値を決定する工程をさらに包含する、請求項４または５に記載の方法。
【請求項７】
将来の時点で決定される第２のマーカーのレベルを閾値と決定する工程をさらに包含する、請求項１〜６のいずれか１項に記載の方法。
【請求項８】
前記ナトリウム利尿ペプチドについての差のパラメーターが上限閾値または下限閾値を超える場合に、処置計画を開始、停止または変更することを前記患者または医療提供者に指示する工程をさらに包含する、請求項２〜７のいずれか１項に記載の方法。
【請求項９】
前記第２のマーカーについての差のパラメーターが上限閾値または下限閾値を超える場合に、処置計画を調節することを前記患者または医療提供者に指示する工程をさらに包含する、請求項２〜８のいずれか１項に記載の方法。
【請求項１０】
前記ナトリウム利尿ペプチドのレベルを所望のレベル以内に維持するために有用な医薬のレベルを変更して、心臓の健康状態を維持することを前記患者または医療提供者に指示する工程を包含する、請求項１〜９のいずれか１項に記載の方法。
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
骨に成形された空洞内に配置されるように構成された拡張可能な整形外科デバイスであって、
骨セメントに対して少なくとも部分的に透過性である折りたたみ可能な自己拡張多層編み込みメッシュ構造体であって、該多層編み込みメッシュ構造体が、一次部材および二次部材を備える、多層編み込みメッシュ構造体；ならびに
該編み込みメッシュ構造体の少なくとも一部に形成された少なくとも１つのコーティングを備えるバッフルであって、該バッフルは、該編み込みメッシュ構造体の該部分の透過性を低下させるように構成されており、そして該二次部材は、該デバイスの少なくとも１つの領域から除去されて、該二次部材を通る少なくとも１つのセメント流動窓を形成する、バッフル、
を備える、デバイス。
【請求項２】
前記バッフルが浸漬被覆を備える、請求項１に記載のデバイス。
【請求項３】
前記バッフルが、前記層状の編み込みメッシュ構造体の外側表面に形成されている、請求項１に記載のデバイス。
【請求項４】
前記一次部材が、前記少なくとも１つのセメント流動窓を覆ったままである、請求項１に記載のデバイス。
【請求項５】
前記一次部材が、弾性のある、熱硬化性のモノフィラメントワイヤ部材を備える、請求項１に記載のデバイス。
【請求項６】
前記一次部材が、骨空洞内への完全な挿入の際にその名目上の形状まで自己拡張するために十分な機械的強度および弾性を有する、請求項１に記載のデバイス。
【請求項７】
前記二次部材がポリマーを備える、請求項１に記載のデバイス。
【請求項８】
前記二次部材のうちの少なくとも１つが、前記一次部材より弾性が高い、請求項１に記載のデバイス。
【請求項９】
前記二次部材が前記一次部材上に層状になっている、請求項１に記載のデバイス。
【請求項１０】
椎体を処置するためのシステムであって、
折りたたみ可能な自己拡張多層編み込みメッシュ構造体を、椎体に形成された空洞内に挿入するための手段であって、該多層編み込みメッシュ構造体が：
一次部材；
二次部材；および
該編み込みメッシュ構造体の少なくとも一部に形成された少なくとも１つのコーティングを備えるバッフルであって、該バッフルが、該編み込みメッシュ構造体の該部分の透過性を低下させるように構成されており、そして該二次部材が、該デバイスの少なくとも１つの領域から除去されて、該二次部材を通る少なくとも１つのセメント流動窓を形成している、バッフル、
を備える、手段；ならびに
骨セメントを拡張した該編み込みメッシュ構造体に注入するための手段であって、該骨セメントが、主として、該少なくとも１つの流動窓を通って該編み込みメッシュ構造体から流出する、手段、
を備える、システム。
【請求項１１】
前記バッフルが浸漬被覆を備える、請求項１０に記載のシステム。
【請求項１２】
前記バッフルが前記層状の編み込みメッシュ構造体の外側表面に形成されている、請求項１０に記載のシステム。
【請求項１３】
前記一次部材が、前記少なくとも１つのセメント流動窓を覆ったままである、請求項１０に記載のシステム。
【請求項１４】
前記一次部材が、弾性のある、熱硬化性のモノフィラメントワイヤ部材を備える、請求項１０に記載のシステム。
【請求項１５】
前記一次部材が、骨空洞内への完全な挿入の際にその名目上の形状まで自己拡張するために十分な機械的強度および弾性を有する、請求項１０に記載のシステム。
【請求項１６】
前記二次部材がポリマーを備える、請求項１０に記載のシステム。
【請求項１７】
前記二次部材のうちの少なくとも１つが、前記一次部材より弾性が高い、請求項１０に記載のシステム。
【請求項１８】
前記二次部材が前記一次部材上に層状になっている、請求項１０に記載のシステム。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
組織を結紮するのに使用する装置であって、
遠位領域と遠位端部とを有する第１シャフトと、該第１シャフトの遠位領域に配置された拡張要素と、該第１シャフトの遠位端部に配置された第１磁石とを含むガイドカテーテルと、
遠位端部を有する第２シャフトと、該第２シャフトの遠位端部に配置された第２磁石と、該第２シャフトの遠位端部と結合した結紮要素とを含む結紮カテーテルと、を含み、
該第２磁石が該第１磁石と作用するように適用され、該結紮カテーテルと該ガイドカテーテルとのアライメントを容易にしてなる装置。
【請求項２】
上記拡張要素が、バルーンを含む請求項１に記載の装置。
【請求項３】
上記結紮要素が、縫糸または糸である請求項１に記載の装置。
【請求項４】
上記結紮要素が、ポリプロピレンまたはＰＴＦＥの縫糸からなる請求項１に記載の装置。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
下記から構成されるエアゾール発生器：
入側端部、出側端部及び第１流れ部分を備える流路；
該流路の出側端部に位置し、第１流れ部分より下流側で流路の第２流れ部分を画成する狭窄部；並びに
第１流れ部分内の液体を加熱して、出側端部から周囲大気中に排出される蒸気を生成するように構成され、該流路に沿って配置されたヒーター。
【請求項２】
前記流路の第１流れ部分の横断方向断面積である第１の横断方向断面積が、該流路の出側端部に位置する第２流れ部分の横断方向断面積である第２の横断方向断面積より大きく、第１横断方向断面積：第２横断方向断面積の比が２：１〜３０：１である、請求項１に記載のエアゾール発生器。
【請求項３】
前記流路が第１毛管径のチューブであり、狭窄部が第１毛管径チューブの内部に嵌合する寸法の第２毛管径のチューブである、請求項１に記載のエアゾール発生器。
【請求項４】
前記流路が、この流路の出側端部付近に第３の流れ部分を備え、蒸気が排出される際にそこで冷却される、請求項１に記載のエアゾール発生器。
【請求項５】
第３の流れ部分が流路と接触した冷却装置を備えていて、第３流れ部分の温度を１０℃〜１００℃だけ低下させる、請求項４に記載のエアゾール発生器。
【請求項６】
使用者がエアゾール発生器からエアゾールを吸い込むのを可能にする、該流路の出側端部と流体連通している吸い口をさらに備える、請求項１に記載のエアゾール発生器。
【請求項７】
前記流路の入側端部と流体連通し、薬剤を含有する液体処方組成物を収容している液体供給源をさらに備える、請求項１記載のエアゾール発生器。
【請求項８】
さらに下記を含む、請求項７に記載のエアゾール発生器：
電源；
前記液体供給源と前記流路との間に配置されたバルブ；及び
該液体供給源から該流路の入側端部への液体の流れを制御するようにバルブを動作させ、かつヒーターを流路内の液体を蒸発させるのに有効な温度範囲に保持するように電源からヒーターへの電力送給を制御するように操作可能なコントローラ。
【請求項９】
さらに下記を含む、請求項１に記載のエアゾール発生器：
ヒーターに電力を供給するように構成された電源、及び
前記第１流れ部分内の液体を加熱して、その出側端部から排出される蒸気を生成するのに有効な量の電力をヒーターに供給するように電源の動作を制御するように構成されたコントローラ。
【請求項１０】
前記ヒーターに取付けられた第１電極、及び第１電極より下流側で該ヒーターに取付けられた、ヒーターの材料より低抵抗の材料製の第２電極をさらに備える、請求項１に記載のエアゾール発生器。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
補綴具弁アセンブリであって：
半径方向に折り畳み可能、かつ拡大可能な支持構造であって、該支持構造が、入口および出口を有し、身体導管内の標的位置に位置決めされるように構成されており、ここで、該支持構造が、折り畳み位置と拡大位置との間で移動するときに、該支持構造の入口と該支持構造の出口近くの支持ビームの端部との間の距離よって規定される長軸方向長さが、実質的に一定のままであるように、該支持構造が、該支持構造に対して長軸方向の剛性を提供するための複数の長軸方向に延びる支持ビームを備える、支持構造；
入口、出口、および複数の交連タブを有する半径方向に折り畳み可能、かつ拡大可能な弁であって、各交連タブが、該支持ビームのそれぞれに取り付け可能である、弁；ならびに
該弁の周りにおける弁周囲の漏れを減少させるための、該支持構造の入口に取り付け可能な、カフ部材、
を備える、補綴具弁アセンブリ。
【請求項２】
請求項１に記載の補綴具弁アセンブリであって、該弁アセンブリを前記身体導管内の標的位置に展開するためのバルーンカテーテルをさらに備える、補綴具弁アセンブリ。
【請求項３】
請求項１に記載の補綴具弁アセンブリであって、前記支持構造および前記弁が、生体適合性材料から形成される、補綴具弁アセンブリ。
【請求項４】
請求項１に記載の補綴具弁アセンブリであって、前記支持構造が、輪状フレームを備え、該フレームが、該支持構造が前記折り畳み位置と前記拡大位置との間で移動するときに変動するフレーム直径を有する、補綴具弁アセンブリ。
【請求項５】
請求項４に記載の補綴具弁アセンブリであって、前記支持ビームが、前記輪状フレームに化学的に接着されている、補綴具弁アセンブリ。
【請求項６】
請求項１に記載の補綴具弁アセンブリであって、前記支持ビームが、実質的に同じ長さを有するか、または該支持ビームが、互いに実質的に平行であるか、または該支持ビームが、互いに等距離に位置付けられる、補綴具弁アセンブリ。
【請求項７】
請求項１に記載の補綴具弁アセンブリであって、前記カフ部材が、前記身体導管内の標的位置に対する前記弁の移動を妨げるための手段をさらに備える、補綴具弁アセンブリ。
【請求項８】
請求項７に記載の補綴具弁アセンブリであって、前記移動を妨げるための手段が、前記カフ部材を囲む布材料であり、該布材料が、組織の内成長を誘導するように構成されている、補綴具弁アセンブリ。
【請求項９】
請求項１に記載の補綴具弁アセンブリであって、前記カフ部分が、第１直径を有する第１カフ部分、第２直径を有する第２カフ部分、および該第１カフ部分と該第２カフ部分との交差によって規定されるリップを備え、該リップが、前記身体導管内に該弁を適切に位置付け、固定するのを補助するように構成されている、補綴具弁アセンブリ。
【請求項１０】
各交連タブを実質的に覆うための複数のタブカバーをさらに備える、請求項１に記載の補綴具弁アセンブリ。
【請求項１１】
請求項１に記載の補綴具弁アセンブリであって、各支持ビームがタブ取付け部分を備え、前記交連タブを該タブ取り付け部分に縫いつけるために、該タブ取り付け部分が、小穴を備える、補綴具弁アセンブリ。
【請求項１２】
請求項１１に記載の補綴具弁アセンブリであって、前記交連タブが、前記支持ビームのタブ取り付け部分に化学的に接着されている、補綴具弁アセンブリ。
【請求項１３】
請求項１１に記載の補綴具弁アセンブリであって、前記交連タブが、前記支持ビームのタブ取り付け部分にリベット付けされている、補綴具弁アセンブリ。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
(a)配列番号１の配列、(b)配列番号５、配列番号６、または配列番号７の連続した200塩基対と同一の少なくとも連続した200塩基対、または(c)配列番号５、配列番号６、または配列番号７の連続した20塩基対と同一の少なくとも連続した20塩基対を含む、ニコチンデメチラーゼをコードする単離された核酸分子。
【請求項２】
（a）DNAであるか、
（b）配列番号１の配列を含むか、
（c）配列番号２のアミノ酸配列を含むニコチンデメチラーゼをコードするか、
（d）植物細胞で機能しうるプロモーターに機能的に連結されているか、
（e）配列番号６の配列、または転写を推進するその断片にストリンジェントな条件下でハイブリダイズするプロモーターを含ものであり、とりわけ前記プロモーターが、(i)後のエチレン処理又は老化過程で誘導され、かつ(ii) (a)配列番号１の塩基対1-2009、または (c) 配列番号１の塩基対1-2009に示される配列の連続した20塩基対部分と同一の20塩基対部分を含むか、
（f）配列番号５の配列、またはその断片と50％以上の配列同一性を有するヌクレオチド配列を含むか、あるいは
（g）配列番号７の配列と50％以上の配列同一性を有するヌクレオチド配列を含む、
請求項１に記載の単離された核酸分子。
【請求項３】
配列番号６の配列と50％以上の配列同一性を有するヌクレオチド配列を含む、請求項１に記載の単離された核酸分子。
【請求項４】
（a）後のエチレン処理または老化過程で誘導されるか、
（b）配列番号６の配列を含むか、または
（c）配列番号６から得られうる断片であって、異種遺伝子の転写を推進する前記断片を含む、
請求項１または３に記載の単離された核酸分子。
【請求項５】
配列番号５の配列、またはその断片にストリンジェントな条件下でハイブリダイズするイントロンを含む、請求項１に記載の単離された核酸分子。
【請求項６】
前記イントロンが、(a) 配列番号１の塩基対2950-3946、(b) 配列番号１の塩基対2950-3946によって特定される配列の連続した200塩基対と同一の少なくとも連続した200塩基対、または(c) 配列番号１の塩基対2950-3946に示される配列の連続した20塩基対部分の配列と同一の20塩基対部分、を含むものである、請求項５に記載の単離された核酸分子。
【請求項７】
配列番号５の配列または配列番号５から得られうる断片を含む、請求項１または５に記載の単離された核酸分子。
【請求項８】
配列番号７の配列、またはその断片にストリンジェントな条件下でハイブリダイズする非翻訳領域を含む、請求項１に記載の単離された核酸分子。
【請求項９】
前記非翻訳領域が、(a) 配列番号１の塩基対4563-6347、(b) 配列番号１の塩基対4563-6347によって特定される配列の連続した200塩基対と同一の少なくとも連続した200塩基対、または(c) 配列番号１の塩基対4563-6347に示される配列の20塩基対部分と同一の20塩基対部分を含む、請求項８に記載の単離された核酸分子。
【請求項１０】
配列番号７の配列または配列番号７から得られうる断片を含む、請求項１または８に記載の単離された核酸分子。
【請求項１１】
異種核酸配列に機能的に連結された、請求項３、５または８のいずれか１項に記載の単離された核酸分子。
【請求項１２】
請求項１に記載の核酸分子によってコードされるニコチンデメチラーゼの低下した発現、または改変された酵素活性を有するタバコ植物であって、前記低下した発現または改変された酵素活性が前記植物のニコチン、またはN’-ニトロソノルニコチンのレベルを低減させるものである、タバコ植物。
【請求項１３】
（a）前記ニコチンデメチラーゼが配列番号２のアミノ酸配列を含むか、あるいは
（b）以下の（i）〜(vi) からなる群より選択される特徴を有するトランスジェニック植物である、請求項１２に記載のタバコ植物。
（i）前記トランスジェニック植物内で発現されたときに、内因性タバコニコチンデメチラーゼの遺伝子発現をサイレンシングするトランスジーンを含む、
（ii）タバコニコチンデメチラーゼのアンチセンス分子を発現するトランスジーンを含む、
（iii）タバコニコチンデメチラーゼの２本鎖RNA分子をコードするトランスジーンを含む、
（iv）前記トランスジェニック植物内で発現されたとき、タバコニコチンデメチラーゼの発現を共抑制するトランスジーンを含む、
（v）ドミナントネガティブ遺伝子産物をコードするトランスジーンを含み、前記ドミナントネガティブ遺伝子産物が配列番号２のアミノ酸配列の変異体をコードする遺伝子を含み、場合によっては配列番号２のアミノ酸配列をコードする遺伝子に点変異を含む、
（vi）タバコニコチンデメチラーゼをコードする遺伝子内に欠失を含む
【請求項１４】
（a）タバコ葉、茎、または種子であり、特に葉は乾燥されたものであるか、
（b）ノルニコチンの含有量が4.0μg/g未満であるか、
（c）全アルカロイドに対する２級アルカロイドの含有量が3％未満であるか、または
（d）N’-ニトロソノルニコチンの含有量が4.0μg/g未満である、
請求項１２に記載のタバコ植物の植物成分。
【請求項１５】
請求項１４に記載の植物成分を含む、タバコ製品。
【請求項１６】
請求項１２に記載のタバコ植物の種子。
【請求項１７】
(a) 請求項１に記載の単離された核酸分子で形質転換された細胞を提供する;
(b) 前記単離された核酸分子を発現させる条件下で前記形質転換細胞を培養する; および(c) 前記タバコニコチンデメチラーゼを回収する工程を含む、タバコニコチンデメチラーゼを産生する方法。
【請求項１８】
請求項１７に記載の方法によって生産される組換えタバコニコチンデメチラーゼ。
【請求項１９】
(a) 請求項１に記載の核酸分子を、請求項１に記載の核酸と少なくとも70％以上の配列同一性を有する核酸配列の検出ができるようなハイブリダイゼーション条件下で植物細胞からの核酸調製物と接触させ、
(b) 前記ハイブリダイズした核酸配列を単離する工程を含む、タバコニコチンデメチラーゼまたはその断片を単離する方法。 
【請求項２０】
(a) 植物細胞DNAのサンプルを提供する; (b) 請求項１に記載の核酸分子の領域に配列同一性を有する１対のオリゴヌクレオチドを提供する; (c) 前記１対のオリゴヌクレオチドを前記植物細胞DNAとポリメラーゼ連鎖反応によるDNA増幅に適した条件下で接触させる; および(d) 増幅されたタバコニコチンデメチラーゼまたはその断片を単離する工程を含む、タバコニコチンデメチラーゼまたはその断片を単離する方法。
【請求項２１】
(a)前記増幅工程が植物細胞から調製されたcDNAサンプルを用いて行なわれるか、または、
(b)前記タバコニコチンデメチラーゼが配列番号２からなるグループから選ばれるアミノ酸配列と少なくとも70％同一であるポリペプチドをコードするものである、請求項２０に記載の方法。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
アミノ酸２０以下のペプチドと精製没食子酸エステルとの持続放出性複合体を含む医薬製剤。
【請求項２】
前記複合体が前記ペプチドと前記没食子酸エステルの塩である、請求項１に記載の製剤。
【請求項３】
医薬的に許容される担体、医薬的に許容される賦形剤、またはその両方を更に含む、請求項１に記載の製剤。
【請求項４】
前記没食子酸エステルが、ペンタガロイルグルコース（ＰＧＧ）及び没食子酸エピガロカテキン（ＥＧＣＧ）から成る群より選択される、請求項１に記載の製剤。
【請求項５】
前記精製没食子酸エステルがペンタガロイルグルコース（ＰＧＧ）である、請求項４に記載の製剤。
【請求項６】
前記複合体がペプチドとＰＧＧの塩であり、１週間未満または約１週間の動物における放出期間を有する、請求項５に記載の製剤。
【請求項７】
前記複合体がペプチドとＰＧＧの塩であり、４日間未満の動物における放出期間を有する、請求項５に記載の製剤。
【請求項８】
前記精製没食子酸エステルが没食子酸エピガロカテキン（ＥＧＣＧ）である、請求項４に記載の製剤。
【請求項９】
前記複合体中のペプチドが重量／重量ベースで精製没食子酸エステルより過剰である、請求項１に記載の製剤。
【請求項１０】
ペプチド対精製没食子酸エステルのモル比が１：１、１：２または１：３である、請求項１に記載の製剤。
【請求項１１】
前記複合体がペプチドとＰＧＧの塩であり、前記塩が２週間までの動物における放出期間を有する、請求項５に記載の製剤。
【請求項１２】
前記ペプチドがＢ１ペプチドアンタゴニストである、請求項１に記載の製剤。
【請求項１３】
前記ペプチドが、ｉ）ＤＯｒｎ  Ｌｙｓ  Ａｒｇ  Ｐｒｏ  Ｈｙｐ  Ｇｌｙ  Ｃｐｇ  Ｓｅｒ  Ｄｔｉｃ  Ｃｐｇ；およびｉｉ）アセチルＬｙｓ  Ｌｙｓ  Ａｒｇ  Ｐｒｏ  Ｈｙｐ  Ｇｌｙ  Ｃｐｇ  Ｓｅｒ  Ｄｔｉｃ  Ｃｐｇから選択され、但しＤＯｒｎはオルニチンのＤ異性体であり、Ｈｙｐはトランス−４−ヒドロキシ−プロリンであり、Ｄｔｉｃは１，２，３，４−テトラヒドロイソキノリン−３−カルボン酸のＤ異性体であり、及びＣｐｇはシクロペンチルグリシンである、請求項１２に記載の製剤。
【請求項１４】
アミノ酸２０以下のペプチドと精製没食子酸エステルとを、前記ペプチドと前記精製没食子酸エステルの複合体が形成される条件下で混合し、前記複合体を含む医薬製剤を調製することを含む、請求項１に記載の医薬製剤を作製する方法。
【請求項１５】
前記ペプチドの溶液および前記没食子酸エステルの溶液を混合し、前記複合体が前記混合溶液から析出する、請求項１４に記載の方法。
【請求項１６】
前記複合体が６．５〜８．６のｐＨで形成される、請求項１４に記載の方法。
【請求項１７】
前記没食子酸エステルがＰＧＧである、請求項１４に記載の方法。
【請求項１８】
前記没食子酸エステルがＥＧＣＧである、請求項１４に記載の方法。
【請求項１９】
アミノ酸２０以下のペプチドと精製没食子酸エステルとの精製複合体を含む持続放出性組成物であって、前記ペプチドがＢ１ペプチドアンタゴニストである、前記組成物。
【請求項２０】
前記複合体が前記ペプチドと前記没食子酸エステルの塩である、請求項１９に記載の組成物。
【請求項２１】
前記没食子酸エステルが、ペンタガロイルグルコース（ＰＧＧ）及び没食子酸エピガロカテキン（ＥＧＣＧ）から成る群より選択される、請求項１９に記載の組成物。
【請求項２２】
前記精製没食子酸エステルがペンタガロイルグルコース（ＰＧＧ）である、請求項２１に記載の組成物。
【請求項２３】
前記複合体がペプチドとＰＧＧの塩であり、前記塩が１週間未満または約１週間の動物における放出期間を有する、請求項２２に記載の組成物。
【請求項２４】
前記複合体がペプチドとＰＧＧの塩であり、４日間未満の動物における放出期間を有する、請求項２２に記載の組成物。
【請求項２５】
前記精製没食子酸エステルが没食子酸エピガロカテキン（ＥＧＣＧ）である、請求項２１に記載の組成物。
【請求項２６】
前記ペプチドが、ｉ）ＤＯｒｎ  Ｌｙｓ  Ａｒｇ  Ｐｒｏ  Ｈｙｐ  Ｇｌｙ  Ｃｐｇ  Ｓｅｒ  Ｄｔｉｃ  Ｃｐｇ；およびｉｉ）アセチルＬｙｓ  Ｌｙｓ  Ａｒｇ  Ｐｒｏ  Ｈｙｐ  Ｇｌｙ  Ｃｐｇ  Ｓｅｒ  Ｄｔｉｃ  Ｃｐｇから選択され、但しＤＯｒｎはオルニチンのＤ異性体であり、Ｈｙｐはトランス−４−ヒドロキシ−プロリンであり、Ｄｔｉｃは１，２，３，４−テトラヒドロイソキノリン−３−カルボン酸のＤ異性体であり、及びＣｐｇはシクロペンチルグリシンである、請求項１９に記載の組成物。
【請求項２７】
アミノ酸２０以下のペプチドであるＢ１ペプチドアンタゴニストを精製没食子酸エステルと混合する工程、および前記沈殿物を単離する工程を含む、持続放出性組成物を作製する方法。
【請求項２８】
前記沈殿物が６．５〜８．６のｐＨで形成される、請求項２７に記載の方法。
【請求項２９】
前記没食子酸エステルがＰＧＧである、請求項２７に記載の方法。
【請求項３０】
前記没食子酸エステルがＥＧＣＧである、請求項２７に記載の方法。
【請求項３１】
前記複合体中のペプチドが重量／重量ベースで精製没食子酸エステルより過剰である、請求項１９に記載の組成物。
【請求項３２】
ペプチド対精製没食子酸エステルのモル比が１：１、１：２または１：３である、請求項１９に記載の組成物。
【請求項３３】
前記複合体がペプチドとＰＧＧの塩であり、前記塩が２週間までの動物における放出期間を有する、請求項２１に記載の組成物。
【請求項３４】
タンパク質と精製没食子酸エステルの精製複合体を含む組成物であって、前記タンパク質が免疫グロブリン又はこの部分あるいはキメラ抗体又はこのフラグメントである、前記組成物。
【請求項３５】
精製複合体を作製する方法であって、タンパク質を精製没食子酸エステルと混合する工程、および沈殿物を単離する工程を含み、前記タンパク質が免疫グロブリン又はこの部分あるいはキメラ抗体又はこのフラグメントである、前記方法。
【請求項３６】
タンパク質と精製没食子酸エステルの精製複合体の医薬的に許容される製剤を含む組成物であって、前記タンパク質が免疫グロブリン又はこの部分あるいはキメラ抗体又はこのフラグメントである、前記方法。
【手続補正書】
【提出日】平成20年8月7日(2008.8.7)
【手続補正１】
【補正対象書類名】特許請求の範囲
【補正対象項目名】請求項９
【補正方法】変更
【補正の内容】
【請求項９】
前記触媒は塩化スズ(II)、塩化鉄(III)、硫酸亜鉛、カンファースルホン酸およびリン酸二水素カリウムからなる群より選択される請求項１〜８のいずれか１項に記載の方法。
【手続補正２】
【補正対象書類名】特許請求の範囲
【補正対象項目名】請求項１０
【補正方法】変更
【補正の内容】
【請求項１０】
前記触媒は塩化スズ(II)、塩化鉄(III)および硫酸亜鉛からなる群より選択される請求項９に記載の方法。